(57)【特許請求の範囲】
【請求項１】
流体供給管に連通する流体圧取り出し管に、圧力検出手段の流体圧導入管を着脱自在に接続する接続部を設け、
前記接続部に前記流体圧導入管を接続して、前記圧力検出手段に導入する流体圧を前記流体供給管から取り出すように構成してある流体圧取り出し装置であって、
前記流体圧取り出し管の出口を塞ぐ塞ぎ部材を、螺着固定状態から緩めるに伴って、流体圧取り出し管の内部が前記塞ぎ部材の外側に連通するようにその流体圧取り出し管側に螺着固定し、
前記螺着固定状態から緩めた前記塞ぎ部材を内側に入り込ませる状態で前記接続部に接続した流体圧導入管の内周面と、その内周面に対向する前記塞ぎ部材の外周面との間に流体通流用の隙間を形成するように構成してある流体圧取り出し装置。
【請求項２】
前記流体圧導入管の内周面に対向する前記塞ぎ部材の外周面に、管長手方向に沿う溝を形成して、前記隙間を構成するようにしてある請求項１記載の流体圧取り出し装置。
【請求項３】
前記塞ぎ部材と前記流体圧取り出し管との螺合部に、前記流体圧取り出し管に螺着固定した前記塞ぎ部材を緩めるに伴って、流体圧取り出し管の内部をその塞ぎ部材の外側に連通させる連通路を形成してある請求項１又は２記載の流体圧取り出し装置。
【請求項４】
前記塞ぎ部材の頭部を先端側ほど小径の先窄まり形状に形成してある請求項１〜３のいずれか１項記載の流体圧取り出し装置。
【発明の詳細な説明】
【０００１】
【発明の属する技術分野】
本発明は、流体供給管に連通する流体圧取り出し管に、圧力検出手段の流体圧導入管を着脱自在に接続する接続部を設け、前記接続部に前記流体圧導入管を接続して、前記圧力検出手段に導入する流体圧を前記流体供給管から取り出すように構成してある流体圧取り出し装置に関する。
【０００２】
【従来の技術】
従来の流体圧取り出し装置は、流体圧取り出し管の出口を塞ぐ塞ぎ部材をその流体圧取り出し管に螺着固定しておき、流体圧を取り出すときは、塞ぎ部材を流体圧取り出し管から取り外して、その流体圧取り出し管の接続部に圧力検出手段の流体圧導入管を接続している。
【０００３】
【発明が解決しようとする課題】
この為、流体圧を取り出す都度、塞ぎ部材を流体圧取り出し管に対して着脱する必要があるとともに、取り外した塞ぎ部材を紛失しないように保管しておく必要もあるので、圧力の検出作業に手間がかかる欠点がある。
また、塞ぎ部材の着脱操作に手間取って、管内流体が流体圧取り出し管を通して外部に流出し易い欠点もある。
本発明は上記実情に鑑みてなされたものであって、圧力の検出作業に手間がかからず、管内流体の外部への流出も少なくできるようにすることを目的とする。
【０００４】
【課題を解決するための手段】
請求項１記載の発明の特徴構成は、流体供給管に連通する流体圧取り出し管に、圧力検出手段の流体圧導入管を着脱自在に接続する接続部を設け、前記接続部に前記流体圧導入管を接続して、前記圧力検出手段に導入する流体圧を前記流体供給管から取り出すように構成してある流体圧取り出し装置であって、前記流体圧取り出し管の出口を塞ぐ塞ぎ部材を、螺着固定状態から緩めるに伴って、流体圧取り出し管の内部が前記塞ぎ部材の外側に連通するようにその流体圧取り出し管側に螺着固定し、前記螺着固定状態から緩めた前記塞ぎ部材を内側に入り込ませる状態で前記接続部に接続した流体圧導入管の内周面と、その内周面に対向する前記塞ぎ部材の外周面との間に流体通流用の隙間を形成するように構成してある点にある。
〔作用〕  塞ぎ部材を螺着固定状態から緩めるに伴って、流体圧取り出し管の内部が塞ぎ部材の外側に連通すると、管内流体が流体圧取り出し管から塞ぎ部材の外側に流出する。
そして、その緩めた塞ぎ部材を流体圧導入管の内側に入り込ませる状態で、流体圧取り出し管の接続部に流体圧導入管を接続してあると、塞ぎ部材の外側に流出した管内流体が、流体圧導入管の内周面と、その内周面に対向する塞ぎ部材の外周面との間に形成した流体通流用の隙間を通して、流体圧導入管内に流入する。
〔効果〕  流体圧を取り出す都度、塞ぎ部材を流体圧取り出し管に対して着脱する必要がなく、従って、取り外した塞ぎ部材を紛失しないように保管しておく必要もないので、圧力の検出作業に手間がかからない。
また、塞ぎ部材を流体圧取り出し管から外すことなく、その塞ぎ部材を緩めたり締め付けたりすれば良いので、塞ぎ部材の操作に手間取るおそれがなく、管内流体の外部への流出も少なくできる。
【０００５】
請求項２記載の発明の特徴構成は、前記流体圧導入管の内周面に対向する前記塞ぎ部材の外周面に、管長手方向に沿う溝を形成して、前記隙間を構成するようにしてある点にある。
〔作用〕  流体圧導入管の内周面が塞ぎ部材の外周面に密着していても、流体通流用の隙間を確実に形成することができる。
〔効果〕  管内流体を流体圧導入管内に確実に流入させることができる。
【０００６】
請求項３記載の発明の特徴構成は、前記塞ぎ部材と前記流体圧取り出し管との螺合部に、前記流体圧取り出し管に螺着固定した前記塞ぎ部材を緩めるに伴って、流体圧取り出し管の内部をその塞ぎ部材の外側に連通させる連通路を形成してある点にある。
〔作用〕  塞ぎ部材を螺着固定状態から緩めるに伴って、流体圧取り出し管の内部が連通路を介して塞ぎ部材の外側に連通し、管内流体がその連通路を通して塞ぎ部材の外側に流出する。
〔効果〕  管内流体の流体圧導入管内への流入量を確保し易い。
【０００７】
請求項４記載の発明の特徴構成は、前記塞ぎ部材の頭部を先端側ほど小径の先窄まり形状に形成してある点にある。
〔作用〕  流体圧導入管と塞ぎ部材とを正確に同芯状に保持することなく、塞ぎ部材の頭部の先端側を流体圧導入管の内側に入り込ませて、流体圧導入管を塞ぎ部材側に移動させながら、流体圧導入管の塞ぎ部材に対する径方向の相対位置を頭部の周面に沿って案内して、その流体圧導入管の内側に塞ぎ部材を入り込ませることができる。
〔効果〕  流体圧導入管の内側に塞ぎ部材を入り込ませた状態で、その流体圧導入管を流体圧取り出し管の接続部に接続し易い。
【０００８】
【発明の実施の形態】
以下に本発明の実施の形態を図面に基づいて説明する。
〔第１実施形態〕
図１は、本発明による流体圧取り出し装置を示し、都市ガス供給管１に連通するガス圧取り出し管２の端部に、圧力検出手段としてのガス圧検出用の圧力計３にガス圧を導入するゴム製のガス圧導入管４を着脱自在に接続する接続部５を設け、その接続部５にガス圧導入管４を接続して、圧力計３に導入するガス圧をガス供給管１から取り出すように構成してある。
【０００９】
前記ガス圧取り出し管２は、ガス供給管１の分岐部にねじ込み固定してあるコック６に、接続管７を備えたガス取り出し金物８をねじ込み固定して構成してあり、接続管７の外周面に、ガス圧導入管４の内周面４ａに食い込んでその抜け出しに抵抗を与える抜け止め部９と、ガス圧導入管４の内周面４ａに密着するように膨出させた膨出部１０とを環状に形成した接続部５を設けてある。
前記接続管７には、その出口を塞ぐ塞ぎ部材１８としてのプラグ１１を、螺着固定状態から緩めるに伴って、接続管７の内部がプラグ１１の外側に連通するように、シール用のゴム製Ｏリング１４を挟んで螺着固定してある。
【００１０】
前記プラグ１１は、図２に示すように、接続管７の内周面の雌ネジ部２１に螺着固定する雄ネジ部１２を形成した雄ネジ部材２０と、先端側ほど小径の先窄まり形状の頭部１３とを備え、プラグ１１と接続管７との螺合部である雄ネジ部１２には、管長手方向に沿う二本の連通路１５を溝状に形成し、頭部１３の外周面には、管長手方向に沿う四本の溝１６を形成してある。
そして、圧力を検出しないときには、手で頭部１３を掴んでプラグ１１を回すことにより、図３(イ)に示すように、Ｏリング１４で接続管７に対して気密に螺着固定しておき、圧力を検出するときには、プラグ１１を緩めて、図３(ロ)に示すように、接続管７の内部を連通路１５を通してプラグ１１の外側に連通させ、そのプラグ１１を内側に入り込ませる状態で接続部５にガス圧導入管４を接続すると、ガス圧導入管４の内周面４ａと、その内周面４ａに対向するプラグ１１の外周面、つまり、頭部１３との間に、溝１６によってガス通流用の隙間を形成するようにしてある。
尚、圧力を検出するときには、コック６を閉めた状態でプラグ１１を緩めて、ガス圧導入管４を接続してから、コック６を開けてガス圧を圧力計３に導入し、ガス圧を検出(測定)すると、コック６を閉めてからガス圧導入管４を接続部５から外して、プラグ１１を回して接続管７に螺着固定する。
【００１１】
〔第２実施形態〕
図４は、プラグ１１の雄ネジ部材２０に、そのねじ込み方向の端面１１ａと雄ネジ部１２と亘って貫通するＴ字状の連通路１５を形成して、接続管７に螺着固定したプラグ１１を緩めるに伴って、接続管７の内部をその連通路１５を通してプラグ１１の外側に連通させるように構成してある。
その他の構成は第１実施形態と同様である。
【００１２】
〔第３実施形態〕
図５は、ガス圧取り出し管２の出口を塞ぐ塞ぎ部材１８として、接続管７の外周面の雄ネジ部２２に螺着固定する雌ネジ部１７を備えたキャップ１９を設けてある実施形態を示し、キャップ１９と接続管７との螺合部である雌ネジ部１７に、管長手方向に沿う二本の連通路１５を溝状に形成して、図５(イ)に示すようにＯリング１４を挟んで接続管７に螺着固定したキャップ１９を緩めるに伴って、図５(ロ)に示すように、接続管７の内部をその連通路１５を通してキャップ１９の外側に連通させるように構成してある。
また、キャップ１９の頭部１３を先端側ほど小径の先窄まり形状に形成し、その外周面に管長手方向に沿う四本の溝１６を形成して、螺着固定状態から緩めたキャップ１９を内側に入り込ませる状態で接続部５に接続したガス圧導入管４の内周面４ａと、その内周面４ａに対向するキャップ１９の外周面との間に溝１６でガス通流用の隙間を形成するように構成してある。
その他の構成は第１実施形態と同様である。
【００１３】
〔その他の実施形態〕
１．本発明による流体圧取り出し装置は、流体圧取り出し管に、金属製の流体圧導入管を着脱自在に接続部を設けてあっても良い。
２．本発明による流体圧取り出し装置は、流体圧取り出し管に、流体圧導入管を着脱自在にフランジ接続する接続部を設けてあっても良い。
３．本発明による流体圧取り出し装置は、流体圧取り出し管に、流体圧導入管を着脱自在に螺着接続する接続部を設けてあっても良い。
４．本発明による流体圧取り出し装置は、塞ぎ部材の外径を流体圧導入管の内径よりも充分小径に形成して、塞ぎ部材を内側に入り込ませる状態で接続部に接続した流体圧導入管の内周面と、その内周面に対向する塞ぎ部材の外周面との間に流体通流用の隙間を形成するようにしてあっても良い。
５．本発明による流体圧取り出し装置は、塞ぎ部材の外周面に管長手方向に沿って螺旋状に連続する溝を形成して、流体圧導入管の内周面と塞ぎ部材の外周面との間に流体通流用の隙間を構成するようにしてあっても良い。
６．本発明による流体圧取り出し装置は、水道管などのような液体供給管からその液体圧力を取り出すように構成したものであっても良い。
【図面の簡単な説明】
【図１】流体圧取り出し装置の側面図
【図２】要部斜視図
【図３】要部断面図
【図４】第２実施形態の要部断面図
【図５】第３実施形態の要部断面図
【符号の説明】
１    流体供給管
２    流体圧取り出し管
３    圧力検出手段
４    流体圧導入管
４ａ  内周面
５    接続部
１３  頭部
１５  連通路
１６  隙間(溝)
１８  塞ぎ部材
【図１】
0004301634.tif 000002
【図２】
0004301634.tif 000003
【図３】
0004301634.tif 000004
【図４】
0004301634.tif 000005
【図５】
0004301634.tif 000006